(57)【要約】【課題】ユーザの移動に応じて、投影されているコンテンツとは異なるコンテンツを投影する。【解決手段】所定のコンテンツを表示する電子機器であって、投影面と前記電子機器との距離を測定する測定部と、測定した距離に応じて異なるコンテンツを前記投影面に投影する投影部と、を有する。【選択図】図１
2017223842.tif 000002
【特許請求の範囲】
【請求項１】
所定のコンテンツを表示する電子機器であって、
投影面と前記電子機器との距離を測定する測定部と、
測定した距離に応じて異なるコンテンツを前記投影面に投影する投影部と、
を有する電子機器。
【請求項２】
前記投影面との距離とコンテンツとを対応付けて記憶する記憶部を有し、
前記投影部は、
前記測定部により測定された距離と対応付けられているコンテンツに切り替えるように該コンテンツを前記投影面に投影する、請求項１に記載の電子機器。
【請求項３】
前記投影部は、
前記投影面と前記電子機器との距離が第一の距離より短い第二の距離となった場合に、前記投影面と前記電子機器との距離が第一の距離にて投影されたコンテンツに対して情報量が増えたコンテンツを前記投影面に投影する、請求項１または２に記載の電子機器。
【請求項４】
前記投影部は、
前記投影面と前記電子機器との距離が第一の距離より短い第二の距離となった場合に、前記投影面と前記電子機器との距離が第一の距離にて投影されたコンテンツの一部の領域に対応するコンテンツを前記投影面に投影する、請求項１から３の何れか一項に記載の電子機器。
【発明の詳細な説明】
【技術分野】
【０００１】
本発明は、電子機器に関する。
【背景技術】
【０００２】
ユーザが手に所持した状態で、スクリーン等の投影面に画像を投影表示することができるプロジェクタが従来から知られている（例えば特許文献１乃至３参照）。このようなプロジェクタでは、当該プロジェクタを所持したユーザの動き（例えば、前後左右や斜め方向への動き等）に応じて補正された画像を投影面に投影表示する。
【先行技術文献】
【特許文献】
【０００３】
【特許文献１】特開２００６−５３９０９号公報
【特許文献２】特開２００５−２６６４７１号公報
【特許文献３】特開２００８−１７６０４２号公報
【発明の概要】
【発明が解決しようとする課題】
【０００４】
しかしながら、ユーザの移動に応じて、投影されているコンテンツとは異なるコンテンツを投影することができなかった。
【０００５】
そこで、一側面では、ユーザの移動に応じて、投影されているコンテンツとは異なるコンテンツを投影することを目的とする。
【課題を解決するための手段】
【０００６】
一つの案では、所定のコンテンツを表示する電子機器であって、投影面と前記電子機器との距離を測定する測定部と、測定した距離に応じて異なるコンテンツを前記投影面に投影する投影部と、を有する電子機器が提供される。
【発明の効果】
【０００７】
一側面によれば、ユーザの移動に応じて、投影されているコンテンツとは異なるコンテンツを投影することができる。
【図面の簡単な説明】
【０００８】
【図１】第一の実施形態に係る電子機器が画像を投影表示する場合の概要を説明する図である。
【図２】第一の実施形態に係る電子機器の一例のハードウェア構成を示す図である。
【図３】第一の実施形態に係る電子機器の一例の機能構成を示す図である。
【図４】状態情報の一例を示す図である。
【図５】画像テーブルの一例を示す図である。
【図６】第一の実施形態に係る電子機器における画像の投影処理の一例を示すフローチャート（その１）である。
【図７】初期距離と対応付けられている画像情報の変更を説明する図である。
【図８】第一の実施形態に係る電子機器における画像の投影処理の一例を示すフローチャート（その２）である。
【図９】第一の実施形態に係る電子機器における画像の補正処理の一例を示すフローチャートである。
【図１０】位置の変化について説明する図である。
【図１１】姿勢の変化について説明する図である。
【図１２】第二の実施形態に係る表示システムの一例の機能構成を示す図である。
【図１３】第二の実施形態に係る表示システムにおける画像の投影処理の一例を示すフローチャート（その１）である。
【図１４】第二の実施形態に係る表示システムにおける画像の投影処理の一例を示すフローチャート（その２）である。
【発明を実施するための形態】
【０００９】
以下、本発明の実施形態について図面を参照しながら説明する。
【００１０】
（第一の実施形態）
まず、第一の実施形態について説明する。本実施形態は、モバイルプロジェクタである電子機器１０が、投影面との距離に応じた画像を投影表示するものである。ただし、電子機器１０は、モバイルプロジェクタに限られない。電子機器１０は、ユーザが携帯可能で、かつ、画像の投影が可能な各種の電子機器（例えば、携帯電話、スマートフォン、タブレット端末、ゲーム機器、ウェアラブル端末等）であれば良い。
【００１１】
ここで、本実施形態に係る電子機器１０が画像を投影表示する場合の概要について、図１を参照しながら説明する。図１は、第一の実施形態に係る電子機器が画像を投影表示する場合の概要を説明する図である。以降では、ユーザＵが電子機器１０を用いて、投影面Ｐに画像を投影する場合について説明する。
【００１２】
なお、電子機器１０が画像を投影する場合における画角、及び電子機器１０が投影する画像の拡縮倍率は一定であるものとする。また、投影面Ｐは、平面である必要はなく、凹凸があっても良いし、曲面であっても良い。
【００１３】
図１（ａ）に示すように、例えば、ユーザが投影面Ｐに近付いたことにより、電子機器１０と投影面Ｐとの距離ＬがＬ１になったとする。このとき、電子機器１０は、記憶部に記憶されている複数の画像の中から、距離Ｌ１に応じた情報量のコンテンツを表示する画像Ｓ１（選択画像Ｓ１）を選択する。そして、電子機器１０は、選択画像Ｓ１の全体が投影された場合に当該選択画像Ｓ１のコンテンツが表示される領域Ｒ１のうち、距離Ｌ１により決定される領域（投影領域）に対応する画像Ｔ１（投影画像Ｔ１）を投影表示する。
【００１４】
すなわち、電子機器１０は、選択画像Ｓ１により表示されるコンテンツのうち、投影領域に対応するコンテンツを表示する投影画像Ｔ１を投影表示する。例えば、選択画像Ｓ１により表示されるコンテンツが、所定の範囲における店舗や商店の名称等を表示する詳細な地図情報である場合、電子機器１０は、当該地図情報のうち、投影領域に対応する範囲内の地図情報を表示する投影画像Ｔ１を投影表示する。
【００１５】
一方、図１（ｂ）に示すように、例えば、ユーザが投影面Ｐから遠ざかったことにより、電子機器１０と投影面Ｐとの距離ＬがＬ２（＞Ｌ１）になったとする。このとき、電子機器１０は、記憶部に記憶されている複数の画像の中から、距離Ｌ２に応じた情報量のコンテンツを表示する選択画像Ｓ２を選択する。そして、電子機器１０は、選択画像Ｓ２の全体が投影された場合に当該選択画像Ｓ２のコンテンツが表示される領域Ｒ２のうち、距離Ｌ２により決定される投影領域に対応する投影画像Ｔ２を投影表示する。
【００１６】
すなわち、電子機器１０は、選択画像Ｓ２により表示されるコンテンツのうち、投影領域に対応するコンテンツを表示する投影画像Ｔ２を投影表示する。例えば、選択画像Ｓ２により表示されるコンテンツが、駅や鉄道、幹線道路等の位置関係等を表示する概略的な地図情報である場合、電子機器１０は、当該地図情報のうち、投影領域に対応する地図情報を表示する投影画像Ｔ２を投影表示する。
【００１７】
このように、本実施形態に係る電子機器１０は、投影面Ｐとの距離Ｌに応じて、投影対象の画像を選択する。そして、本実施形態に係る電子機器１０は、選択した画像に基づいて、投影画像を投影表示する。これにより、本実施形態に係る電子機器１０は、ユーザと投影面との距離に応じて、異なるコンテンツを表示することができる。
【００１８】
なお、例えば、ユーザが投影面Ｐから遠ざかったことにより、選択画像のコンテンツが表示される領域が、投影領域に含まれる場合には、電子機器１０は、選択画像を投影画像とすれば良い。
【００１９】
次に、本実施形態に係る電子機器１０のハードウェア構成について、図２を参照しながら説明する。図２は、第一の実施形態に係る電子機器の一例のハードウェア構成を示す図である。
【００２０】
図２に示すように、電子機器１０は、入力装置１１、表示装置１２、インタフェース装置１３、記憶装置１４、及びＲＯＭ（Read  Only  Memory）１５を有する。また、電子機器１０は、ＲＡＭ（Random  Access  Memory）１６、ＣＰＵ（Central  Processing  Unit）１７、投影装置１８、センサ１９、及び測距装置２０を有する。これらの各ハードウェアは、それぞれがバスＢで相互に接続されている。
【００２１】
入力装置１１は、各種ボタンやタッチパネル等であり、ユーザが各種操作（例えば、画像の投影開始操作等）を入力するのに用いられる。表示装置１２は、ディスプレイ等であり、例えば、電子機器１０の操作画面等を表示する。なお、電子機器１０は、表示装置１２を有していなくても良い。
【００２２】
インタフェース装置１３は、外部装置とのインタフェースである。外部装置には、例えば、ＵＳＢメモリ（Universal  Serial  Bus  memory）やＳＤメモリカード(SD  memory  card）等がある。なお、インタフェース装置１３は、インターネット等のネットワークに接続するためのインタフェースであっても良い。
【００２３】
記憶装置１４は、プログラムや各種情報等を格納している不揮発性のメモリである。記憶装置１４は、例えば、電子機器１０が投影する画像の画像情報を格納している。
【００２４】
ＲＯＭ１５は、電源を切っても情報を保持することができる不揮発性の半導体メモリである。ＲＡＭ１６は、プログラムや各種情報等を一時保持する揮発性の半導体メモリである。ＣＰＵ１７は、例えば記憶装置１４やＲＯＭ１５等からプログラムや各種情報をＲＡＭ１６上に読み出して、各種処理を実行する演算装置である。
【００２５】
投影装置１８は、例えば、ＤＬＰ（Digital  Light  Processing）プロジェクタや液晶プロジェクタ、ＬＣＯＳ（Liquid  Crystal  On  Silicon）等の種々のプロジェクタであり、画像を投影表示する。
【００２６】
センサ１９は、モーションセンサやジャイロセンサ等の各種センサであり、電子機器１０の動きや傾き等を検知する。測距装置２０は、投影面との距離を測定するためのカメラ装置（測距カメラ）等である。なお、測距装置２０は、例えば、赤外線、超音波、レーザー等により、投影面との距離を測定する各種装置であっても良い。
【００２７】
本実施形態に係る電子機器１０は、図２に示すハードウェア構成を有することにより、後述する各種処理を実現することができる。
【００２８】
次に、本実施形態に係る電子機器１０の機能構成について、図３を参照しながら説明する。図３は、第一の実施形態に係る電子機器の一例の機能構成を示す図である。
【００２９】
図３に示すように、電子機器１０は、距離測定部１０１と、センサ情報取得部１０２と、移動処理部１０３と、画像選択部１０４と、画像補正部１０５と、投影部１０６と、入力受付部１０７とを有する。これら各機能部は、電子機器１０にインストールされた１以上のプログラムが、ＣＰＵ１７に実行させる処理により実現される。
【００３０】
また、図３に示すように、電子機器１０は、状態情報記憶部１０８と、画像テーブル記憶部１０９とを有する。これら各記憶部は、記憶装置１４を用いて実現可能である。
【００３１】
距離測定部１０１は、投影面との距離を測定し、測定した距離を示す距離情報を生成する。すなわち、距離測定部１０１は、例えば、ユーザによる画像の投影開始操作に応じて、測距装置２０により、当該画像を投影する投影面との距離（初期距離）を測定し、測定した距離を示す初期距離情報を生成する。
【００３２】
センサ情報取得部１０２は、センサ情報をセンサ１９から取得する。すなわち、センサ情報取得部１０２は、例えば、ユーザによる画像の投影開始操作に応じて、当該投影開始操作時における電子機器１０の傾き等に関する情報を示すセンサ情報をセンサ１９から取得する。
【００３３】
また、センサ情報取得部１０２は、電子機器１０の動きや傾き等がセンサ１９により検知されると、検知された動きや傾き等に関する情報を示すセンサ情報を当該センサ１９から取得する。
【００３４】
移動処理部１０３は、センサ情報取得部１０２により取得されたセンサ情報に基づいて、電子機器１０の位置を示す位置情報と、電子機器１０の姿勢を示す姿勢情報とを生成する。
【００３５】
すなわち、移動処理部１０３は、例えば、ユーザによる画像の投影開始操作に応じて取得されたセンサ情報に基づいて、当該投影開始操作時における電子機器１０の位置（初期位置）を示す初期位置情報と、姿勢（初期姿勢）を示す初期姿勢情報とを生成する。そして、移動処理部１０３は、初期距離情報、初期位置情報、及び初期姿勢情報に基づいて、後述する状態情報１０８Ｄを生成して、生成した状態情報１０８Ｄを状態情報記憶部１０８に記憶する。
【００３６】
また、移動処理部１０３は、電子機器１０の動きや傾き等がセンサ１９により検知されたことに応じて取得されたセンサ情報に基づいて、電子機器１０の位置の変化量を示す位置変化情報と、姿勢の変化量を示す姿勢変化情報とを生成する。さらに、移動処理部１０３は、位置変化情報に基づいて、電子機器１０と投影面との距離の変化量を示す距離変化情報を生成する。そして、移動処理部１０３は、位置変化情報、姿勢変化情報、及び距離変化情報に基づいて、状態情報記憶部１０８に記憶されている状態情報１０８Ｄを更新する。
【００３７】
なお、状態情報１０８Ｄとは、画像の投影開始時における投影面との距離を示す初期距離、投影面との現在の距離を示す現在距離、現在の位置を示す現在位置、及び現在の姿勢を示す現在姿勢等が関連付けられた情報である。
【００３８】
さらに、移動処理部１０３は、初期距離や現在距離を示す距離情報を画像選択部１０４に渡すと共に、現在位置を示す位置情報や現在姿勢を示す姿勢情報を画像補正部１０５に渡す。
【００３９】
画像選択部１０４は、移動処理部１０３から受け取った距離情報に応じて、画像テーブル記憶部１０９に記憶されている画像テーブル１０９Ｄから画像情報を選択し、選択した画像情報（選択画像情報）を取得する。そして、画像選択部１０４は、取得した選択画像情報を画像補正部１０５に渡す。
【００４０】
画像補正部１０５は、移動処理部１０３から受け取った位置情報及び姿勢情報に基づいて、画像選択部１０４から受け取った選択画像情報を補正して、補正画像情報を生成する。なお、画像選択部１０４及び画像補正部１０５は、生成部の一例である。
【００４１】
ここで、補正画像情報とは、選択画像情報に基づく画像の全体が投影表示された場合に当該選択画像情報のコンテンツが表示される領域のうち、投影領域に対応するコンテンツを表示する画像を投影表示するための画像情報である。なお、画像補正部１０５により行われる補正には、例えば、台形補正（台形歪み補正）等の画像補正も含まれる。また、投影領域は、電子機器１０と投影面との距離、及び当該電子機器１０の画角により決定される。
【００４２】
投影部１０６は、画像補正部１０５により生成された補正画像情報に基づく画像を投影表示する。すなわち、投影部１０６は、例えば、現在、画像を投影表示している場合、当該画像から切り替えて、画像補正部１０５により生成された補正画像情報に基づく画像を投影表示する。例えば、投影部１０６は、投影面Ｐと電子機器１０との距離が第一の距離より短い第二の距離となった場合に、投影面Ｐと電子機器１０との距離が第一の距離にて投影されたコンテンツに対して情報量が増えたコンテンツを投影面Ｐに投影する。投影部１０６は、投影面Ｐと電子機器１０との距離が第一の距離よりも長い第二の距離となった場合に、投影面Ｐと電子機器１０との距離が第一の距離にて投影されたコンテンツに対して情報量が減少したコンテンツを投影面Ｐに投影する。また、投影部１０６は、投影面Ｐと電子機器１０との距離が第一の距離より短い第二の距離となった場合に、投影面Ｐと電子機器１０との距離が第一の距離にて投影されたコンテンツの一部の領域に対応するコンテンツを投影面Ｐに投影する。これにより、電子機器１０は、投影面との距離に応じて異なるコンテンツが表示される。
【００４３】
状態情報記憶部１０８は、状態情報１０８Ｄを記憶する。ここで、状態情報記憶部１０８に記憶されている状態情報１０８Ｄの詳細について、図４を参照しながら説明する。図４は、状態情報の一例を示す図である。
【００４４】
図４に示すように、状態情報１０８Ｄは、データ項目として、「現在距離」と、「現在位置」と、「現在姿勢」とを有する。「現在距離」は、電子機器１０と投影面との距離である。
【００４５】
「現在位置」は、電子機器１０の現在の位置（現在位置）である。現在位置は、例えば、投影面上における水平方向にＸ軸、投影面上における垂直方向にＹ軸、投影面に直交する方向にＺ軸を定義した場合に、これらの座標における座標値の組（Ｘ，Ｙ，Ｚ）により表される。
【００４６】
「現在姿勢」は、電子機器１０の現在の姿勢（現在姿勢）である。現在姿勢は、例えば、ＸＺ平面上におけるＺ軸と、電子機器１０の光軸との傾きをθ、ＹＺ平面上におけるＺ軸と、電子機器１０の光軸との傾きをφとした場合に、これらの傾きの組（θ，φ）により表される。
【００４７】
画像テーブル記憶部１０９は、画像テーブル１０９Ｄを記憶する。ここで、画像テーブル記憶部１０９に記憶されている画像テーブル１０９Ｄの詳細について、図５を参照しながら説明する。図５は、画像テーブルの一例を示す図である。
【００４８】
図５に示すように、画像テーブル１０９Ｄは、データ項目として、「距離」と、「選択画像」とを有する。「距離」は、電子機器１０と投影面との距離であり、初期距離との相対距離で表される。「選択画像」は、画像選択部１０４により選択及び取得される画像情報である。
【００４９】
すなわち、画像テーブル１０９Ｄでは、電子機器１０と投影面との距離が、画像情報と対応付けて格納されている。例えば、電子機器１０が初期距離Ｌ０（ｃｍ）には、「画像情報４」が対応付けられている。また、例えば、初期距離Ｌ０との相対距離が「＋１５（ｃｍ）」である距離には、「画像情報５」が対応付けられている。同様に、例えば、初期距離Ｌ０との相対距離が「−１５（ｃｍ）」である距離には、「画像情報３」が対応付けられている。なお、以降では、初期距離Ｌ０と対応付けられる「画像情報４」を、便宜上、「標準画像情報」とも表す。
【００５０】
ここで、画像テーブル１０９Ｄには、初期距離Ｌ０との相対距離が「０」から減少するに従って、例えば、より詳細なコンテンツを表示するための画像情報が格納されている。一方で、画像テーブル１０９Ｄには、初期距離Ｌ０との相対距離が「０」から増加するに従って、例えば、より概略的又はより全体的なコンテンツを表示するための画像情報が格納されている。
【００５１】
すなわち、例えば、「画像情報３」は、「標準画像情報」よりも、より詳細なコンテンツを表示するための画像情報である。また、例えば、「画像情報４」は、「標準画像情報」よりも、より概略的なコンテンツを表示するための画像情報である。つまり、「画像情報４」は、「画像情報５」より情報量が多い。また、「画像情報４」は、「画像情報３」より情報量が少ない。具体的には、例えば、コンテンツが地図情報である場合に、「標準画像情報」が、道路や鉄道、建物の位置関係等を示す地図を表示する画像情報であるとする。この場合、「画像情報３」は、例えば、さらに、道路名や鉄道名、建物名等、より詳細な情報を含む地図を表示する画像情報である。一方、「画像情報４」は、例えば、「標準画像情報」により表示される地図上の道路や鉄道、建物のうち、主要な道路や鉄道、ランドマークとなる建物の位置関係等を示す、より概略的な地図を表示する画像情報である。
【００５２】
また、例えば、コンテンツが製品の設計図である場合に、「標準画像情報」が、製品のフレームや構成部品等を表示する画像情報であるとする。この場合、「画像情報３」は、例えば、さらに、構成部品のディテールや部品名称等、より詳細な情報を表示する画像情報である。一方、「画像情報４」は、例えば、製品全体の構成部品のうち、主要な部品の位置関係等を表示する画像情報である。
【００５３】
このように、画像テーブル１０９Ｄには、距離に応じて異なるコンテンツを表示する画像情報が格納されている。これにより、例えば、電子機器１０で画像を投影しているユーザが投影面に近付いた場合には、より詳細なコンテンツが表示される一方で、当該ユーザが投影面から遠ざかった場合には、より概略的又はより全体的なコンテンツが表示される。したがって、コンテンツが地図である場合において、ユーザが投影面に近付くことで、当該ユーザは、例えば、特定の範囲における地図上の道路名や鉄道名、建物名等を確認することができる。一方で、ユーザが投影面から遠ざかることで、当該ユーザは、例えば、さらに広い範囲内における地図上の主要な道路や鉄道、建物等の位置関係を把握することができる。
【００５４】
同様に、コンテンツが製品の設計図である場合において、ユーザが投影面に近付くことで、当該ユーザは、例えば、製品を構成する特定の部品のディテールや部品名称等を確認することができる。一方で、ユーザが投影面から遠ざかることで、当該ユーザは、例えば、製品全体を構成する部品のうち、主要な部品の位置関係等を把握することができる。
【００５５】
「画像情報４」は、「画像情報５」のコンテンツの一部の領域に対応するコンテンツを表示するための画像情報であっても良い。そして、「画像情報３」は、「画像情報４」のコンテンツの一部の領域に対応するコンテンツを表示するための画像情報であっても良い。「標準画像情報」が写真等の画像である場合、「標準画像情報」は、「画像情報５」の画像の一部の領域に対応する画像である。また、「画像情報３」は、「画像情報４」の画像の一部の領域に対応する画像である。ここで、電子機器１０が画像を投影する光の量は一定であることから、ユーザが投影面Ｐから遠ざかることで、ユーザは投影面Ｐに投影される画像が見にくくなる。しかし、投影面Ｐと電子機器１０との距離がある距離より短い距離となった場合に、電子機器１０は、投影面Ｐと電子機器１０との距離がある距離にて投影されたコンテンツの一部の領域に対応するコンテンツを投影面Ｐに投影する。これにより、電子機器１０は、ユーザのコンテンツの視認性を向上させることができる。
【００５６】
なお、図５に示す画像テーブル１０９Ｄでは、初期距離Ｌ０との相対距離「±１５ｃｍ」毎に画像情報を対応付けているが、これに限られない。例えば、画像テーブル１０９Ｄは、初期距離Ｌ０との相対距離「±５ｃｍ」毎に画像情報を対応付けても良いし、初期距離Ｌ０との相対距離「±２０ｃｍ」毎に画像情報を対応付けても良い。すなわち、画像テーブル１０９Ｄでは、初期距離Ｌ０との任意の相対距離毎に画像情報が対応付けられていても良い。
【００５７】
次に、本実施形態に係る電子機器１０における画像の投影処理の詳細について説明する。まず、ユーザが電子機器１０を用いて、投影面Ｐへの画像の投影を開始する処理について、図６を参照しながら説明する。図６は、第一の実施形態に係る電子機器における画像の投影処理の一例を示すフローチャート（その１）である。
【００５８】
電子機器１０の入力受付部１０７は、ユーザによる投影開始操作を受け付ける（ステップＳ６０１）。投影開始操作は、例えば、入力装置１１を介して、投影対象の画像を選択することにより行うことができる。なお、投影開始操作は、例えば、入力装置１１を介した電子機器１０の電源の投入操作であっても良い。
【００５９】
電子機器１０の距離測定部１０１は、投影面Ｐとの距離（初期距離Ｌ０）を測定し、測定した初期距離Ｌ０を示す初期距離情報を生成する（ステップＳ６０２）。なお、電子機器１０は、距離測定部１０１により投影面Ｐとの初期距離Ｌ０を測定するものとしたが、これに限られず、例えば、ユーザが入力装置１１を用いて、初期距離Ｌ０を入力しても良い。
【００６０】
次に、電子機器１０のセンサ情報取得部１０２は、センサ情報をセンサ１９から取得する（ステップＳ６０３）。
【００６１】
次に、電子機器１０の移動処理部１０３は、センサ情報取得部１０２により取得されたセンサ情報に基づいて、電子機器１０の位置（初期位置）を示す初期位置情報と、電子機器１０の姿勢（初期姿勢）を示す初期姿勢情報とを生成する（ステップＳ６０４）。
【００６２】
ここで、移動処理部１０３は、例えば、電子機器１０の光軸と投影面Ｐとが直交する場合における交点を原点として、電子機器１０の初期位置（Ｘ，Ｙ，Ｚ）＝（０，０，Ｌ０）を示す初期位置情報を生成すれば良い。なお、移動処理部１０３は、例えば、投影開始操作時における電子機器１０の位置を原点として、初期位置（Ｘ，Ｙ，Ｚ）＝（０，０，０）を示す初期位置情報を生成しても良い。
【００６３】
また、移動処理部１０３は、例えば、投影開始操作時における電子機器１０のＸＺ平面におけるＺ軸との傾きをθ、ＹＺ平面におけるＺ軸との傾きをφとした場合に、初期姿勢（θ，φ）を示す初期姿勢情報を生成する。
【００６４】
次に、電子機器１０の移動処理部１０３は、初期距離情報、初期位置情報、及び初期姿勢情報から状態情報１０８Ｄを生成して、状態情報記憶部１０８に記憶する（ステップＳ６０５）。
【００６５】
ここで、移動処理部１０３は、例えば、初期距離情報により示される初期距離Ｌ０をデータ項目「現在距離」の値とする。また、移動処理部１０３は、初期位置情報により示される初期位置（Ｘ，Ｙ，Ｚ）をデータ項目「現在位置」の値、初期姿勢情報により示される初期姿勢（θ，φ）をデータ項目「現在姿勢」の値とする。これにより、移動処理部１０３により、状態情報１０８Ｄが生成される。
【００６６】
次に、電子機器１０の画像選択部１０４は、画像テーブル記憶部１０９に記憶されている画像テーブル１０９Ｄにおいて、初期距離情報により示される初期距離Ｌ０と、「標準画像情報」とを対応付ける（ステップＳ６０６）。
【００６７】
次に、電子機器１０の画像選択部１０４は、画像テーブル記憶部１０９に記憶されている画像テーブル１０９Ｄにおいて、初期距離Ｌ０に対応付けられている画像情報を選択し、選択した画像情報（選択画像情報）を取得する（ステップＳ６０７）。
【００６８】
すなわち、例えば、画像テーブル１０９Ｄにおいて、初期距離Ｌ０と標準画像情報とが対応付けられている場合、画像選択部１０４は、当該標準画像情報を選択する。そして、画像選択部１０４は、選択した標準画像情報を取得する。
【００６９】
次に、電子機器１０の画像補正部１０５は、初期位置情報及び初期姿勢情報に基づいて、選択画像情報を補正した画像情報（補正画像情報）を生成する（ステップＳ６０８）。すなわち、画像補正部１０５は、選択画像情報に基づく画像の全体が表示される領域のうち、投影領域に対応する画像を表示するための補正画像情報を生成する。
【００７０】
次に、電子機器１０の投影部１０６は、補正画像情報に基づく画像を、投影面Ｐに投影表示する（ステップＳ６０９）。これにより、投影面Ｐには、選択画像情報に基づく画像の全体が表示される領域のうち、投影領域に対応する画像が投影表示される。言い換えれば、投影面Ｐには、選択画像情報により表示可能なコンテンツのうち、投影領域に対応するコンテンツが投影表示される。
【００７１】
次に、電子機器１０の入力受付部１０７は、画像テーブル１０９Ｄにおいて初期距離Ｌ０と対応付けられて画像情報の変更操作があったか否かを判定する（ステップＳ６１０）。
【００７２】
ステップＳ６１０において、入力受付部１０７により画像情報の変更操作があったと判定された場合、画像選択部１０４は、当該変更操作に応じて、画像テーブル１０９Ｄにおいて初期距離Ｌ０と対応付けられている画像情報を変更する（ステップＳ６１１）。
【００７３】
ここで、初期距離Ｌ０と対応付けられている「画像情報４（標準画像情報）」を「画像情報６」に変更する変更操作がなされた場合について、図７を参照しながら説明する。図７は、初期距離と対応付けられている画像情報の変更を説明する図である。
【００７４】
図７（ａ）に示すように、画像テーブル１０９Ｄにおいて、初期距離Ｌ０には、「画像情報４（標準画像情報）」が対応付けられているとする。また、図７（ａ）に示すように、画像テーブル１０９Ｄにおいて、距離「＋１５ｃｍ」〜「＋４５ｃｍ」には、それぞれ「画像情報５」〜「画像情報７」が対応付けられているとする。同様に、図７（ａ）に示すように、画像テーブル１０９Ｄにおいて、距離「−４５ｃｍ」〜「−１５ｃｍ」には、それぞれ「画像情報１」〜「画像情報３」が対応付けられているとする。
【００７５】
このとき、上記のステップＳ６１０において、入力受付部１０７により、初期距離Ｌ０と対応付けられている画像情報を「画像情報６」に変更する変更操作が受け付けられたとする。
【００７６】
すると、画像選択部１０４は、図７（ｂ）に示すように、画像テーブル１０９Ｄにおいて、初期距離Ｌ０と対応付けられている「画像情報４（標準画像情報）」を「画像情報６」に変更する。また、画像選択部１０４は、距離「＋１５ｃｍ」〜「＋４５ｃｍ」にそれぞれ対応付けられている「画像情報５」〜「画像情報７」を、それぞれ「画像情報７」〜「画像情報９」に変更する。同様に、画像選択部１０４は、距離「−４５ｃｍ」〜「−１５ｃｍ」に対応付けられている「画像情報１」〜「画像情報３」を、それぞれ「画像情報３」〜「画像情報５」に変更する。
【００７７】
このように、画像選択部１０４は、入力受付部１０７により受け付けられた変更操作に応じて、画像テーブル１０９Ｄにおいて、初期距離Ｌ０と対応付けられている画像情報を変更することができる。
【００７８】
なお、図７では、画像テーブル１０９Ｄにおいて、初期距離Ｌ０と対応付けられている画像情報の変更に応じて、他の距離と対応付けられている画像情報も変更したが、これに限られず、例えば、初期距離Ｌ０と対応付けられている画像情報のみを変更しても良い。
【００７９】
一方、ステップＳ６１０において、入力受付部１０７により画像情報の変更操作があったと判定されなかった場合、電子機器１０は、処理を終了する。すなわち、この場合、電子機器１０は、上記のステップＳ６０９において投影面Ｐに投影表示した画像を引き続き投影表示する。
【００８０】
次に、電子機器１０による画像の投影中に、ユーザが当該電子機器１０を移動させた場合（すなわち、電子機器１０を持ったユーザが移動した場合）の処理について、図８を参照しながら説明する。図８は、第一の実施形態に係る電子機器における画像の投影処理の一例を示すフローチャート（その２）である。以降で説明する処理は、電子機器１０のセンサ情報取得部１０２により、当該電子機器１０の動きや傾き等がセンサ１９により検知される毎に実行される。
【００８１】
まず、電子機器１０のセンサ情報取得部１０２は、センサ情報をセンサ１９から取得する（ステップＳ８０１）。
【００８２】
次に、電子機器１０の移動処理部１０３は、センサ情報取得部１０２により取得されたセンサ情報に基づいて、位置の変化量（ΔＸ，ΔＹ，ΔＺ）を示す位置変化情報と、姿勢の変化量（Δθ，Δφ）を示す姿勢変化情報とを生成する（ステップＳ８０２）。なお、位置の変化量（ΔＸ，ΔＹ，ΔＺ）及び姿勢の変化量（Δθ，Δφ）には、符号が含まれるものとする。
【００８３】
次に、電子機器１０の移動処理部１０３は、位置変化情報に基づいて、投影面との距離の変化量ΔＬを示す距離変化情報を生成する（ステップＳ８０３）。なお、距離の変化量ΔＬは、例えば、位置変化情報により示される位置の変化量（ΔＸ，ΔＹ，ΔＺ）のうちのＺ軸成分（すなわち、ΔＺ）とすれば良い。
【００８４】
次に、電子機器１０の移動処理部１０３は、位置変化情報、姿勢変化情報、及び距離変化情報に基づいて、状態情報記憶部１０８に記憶されている状態情報１０８Ｄを更新する（ステップＳ８０４）。
【００８５】
ここで、移動処理部１０３は、例えば、状態情報１０８Ｄに含まれるデータ項目「現在距離」の値に、距離変化情報により示される距離の変化量ΔＬを加算する。また、移動処理部１０３は、状態情報１０８Ｄに含まれるデータ項目「現在位置」の値に、位置変化情報により示される位置の変化量（ΔＸ，ΔＹ，ΔＺ）を加算する。さらに、移動処理部１０３は、状態情報１０８Ｄに含まれるデータ項目「現在姿勢」の値に、姿勢変化情報により示される姿勢の変化量（Δθ，Δφ）を加算する。これにより、状態情報記憶部１０８に記憶されている状態情報１０８Ｄが更新される。
【００８６】
なお、電子機器１０は、上記のステップＳ８０３において、距離測定部１０１により投影面との距離Ｌを測定して、測定した距離Ｌを示す距離情報を生成しても良い。この場合、移動処理部１０３は、上記のステップＳ８０４において、状態情報１０８Ｄに含まれるデータ項目「現在距離」の値を、当該距離情報により示される距離Ｌに更新すれば良い。また、距離測定部１０１は、センサ１９による電子機器１０の動きや傾き等の検知有無に関わらず、投影面Ｐとの距離Ｌを測定して、測定した距離Ｌを示す距離情報を生成しても良い。
【００８７】
次に、電子機器１０の画像選択部１０４は、投影部１０６により投影面Ｐに投影している画像を変更するか否かを判定する（ステップＳ８０５）。
【００８８】
すなわち、画像選択部１０４は、画像テーブル１０９Ｄと、上記のステップＳ８０４で更新された状態情報１０８Ｄに含まれる現在距離Ｌとに基づいて、投影面Ｐに投影している画像を変更するか否かを判定する。
【００８９】
例えば、電子機器１０は、投影部１０６により、標準画像情報のコンテンツを投影表示しているものとする。このとき、現在距離Ｌが、「Ｌ０＋１５」以上で、かつ、「Ｌ０＋３０」未満になったとする。この場合、画像選択部１０４は、図５に示す画像テーブル１０９Ｄにおいて距離「Ｌ０＋１５」に「画像情報５」が対応付けられていることにより、投影面Ｐに投影している画像を変更すると判定する。
【００９０】
一方、例えば、上記と同様に、投影部１０６により、標準画像情報のコンテンツを投影表示しているものとする。このとき、現在距離Ｌが、「Ｌ０」以上で、かつ、「Ｌ０＋１５」未満になったとする。この場合、画像選択部１０４は、図５に示す画像テーブル１０９Ｄにおいて距離「Ｌ０」に「画像情報４（標準画像情報）」が対応付けられていることにより、投影面Ｐに投影している画像を変更しないと判定する。
【００９１】
このように、画像選択部１０４は、電子機器１０が移動して、投影面Ｐとの現在距離Ｌが変化した場合、変化後の現在距離Ｌに基づいて、投影面Ｐに投影表示している画像を変更するか否かを判定する。
【００９２】
ステップＳ８０５において、投影面Ｐに投影している画像を変更すると判定された場合、画像選択部１０４は、画像テーブル記憶部１０９に記憶されている画像テーブル１０９Ｄにおいて、現在距離Ｌに対応付けられている画像情報を選択する。そして、画像選択部１０４は、選択した画像情報（選択画像情報）を取得する（ステップＳ８０６）。
【００９３】
なお、画像選択部１０４は、画像テーブル１０９Ｄにおいて、現在距離Ｌに対応付けられている画像情報を選択した上で、選択した画像情報を取得するものとしたが、これに限られない。画像選択部１０４は、例えば、現在距離Ｌに応じて、投影部１０６が投影表示している画像の画像情報に、所定の処理を行った画像情報に基づく画像を投影表示するようにしても良い。
【００９４】
より具体的には、例えば、投影表示される画像がレイヤー構造を有している場合（すなわち、当該画像が第１の画像〜第ｎの画像（１≦ｎ≦Ｎ）を重畳させることで投影表示されている場合）、現在距離Ｌの変化に応じて、重畳させるレイヤー数ｎを増減させても良い。
【００９５】
この場合、例えば、現在距離Ｌの増加に応じて、投影部１０６により投影表示されている画像が表示するコンテンツの情報量（例えば、当該画像のバイト数等）が所定の閾値を超えた場合、重畳させるレイヤー数ｎを減少させれば良い。これにより、ユーザが投影面から遠ざかった場合に、投影領域に表示される情報量が密になることを、重畳させるレイヤー数ｎを減少させることで回避することができる。すなわち、減少させたレイヤーの情報量の分だけ簡素化された、適切な情報量のコンテンツを投影領域に表示することができる。
【００９６】
同様に、例えば、現在距離Ｌの減少に応じて、投影部１０６により投影表示されている画像が表示するコンテンツの情報量が所定の閾値以下となった場合、重畳させるレイヤー数ｎを増加させれば良い。これにより、ユーザが投影面に近付いた場合に、投影領域に表示される情報量が疎になることを、重畳させるレイヤー数ｎを増加させることで回避することができる。すなわち、増加させたレイヤーの情報量の分だけ詳細化された、適切な情報量のコンテンツを投影領域に表示することができる。
【００９７】
これによれば、画像テーブル１０９Ｄから選択画像情報を取得せずに、ユーザと投影面との距離に応じて、視認性の高いコンテンツを投影表示することができる。
【００９８】
一方、ステップＳ８０５において、投影面Ｐに投影している画像を変更しないと判定された場合、画像選択部１０４は、上記のステップＳ８０５の処理を行わない。
【００９９】
電子機器１０の画像補正部１０５は、位置変化情報及び姿勢変化情報に基づいて、選択画像を補正した画像情報（補正画像情報）を生成する（ステップＳ８０７）。すなわち、画像補正部１０５は、上記のステップＳ８０６で取得された選択画像情報又は投影部１０６により投影面Ｐに投影表示されている画像の選択画像情報に基づいて補正画像情報を生成する。
【０１００】
次に、電子機器１０の投影部１０６は、補正画像情報に基づく画像を、投影面Ｐに投影表示する（ステップＳ８０８）。すなわち、投影部１０６は、現在投影表示している画像から切り替えて、補正画像情報に基づく画像を投影表示する。これにより、電子機器１０は、投影面Ｐとの距離Ｌに応じて、異なるコンテンツを投影面Ｐに投影表示することができる。
【０１０１】
ここで、上記のステップＳ８０７における画像情報の補正処理について、図９を参照しながら説明する。図９は、第一の実施形態に係る電子機器における画像の補正処理の一例を示すフローチャートである。なお、以降では、電子機器１０の位置や姿勢が変化したことにより、投影面Ｐ上に投影される画像の位置（すなわち、投影面Ｐ上における投影領域の位置）が変化した場合について説明する。
【０１０２】
まず、画像補正部１０５は、位置変化情報及び姿勢変化情報に基づいて、投影面Ｐ上における画像の投影位置を示す座標を変換するための変換行列を生成する（ステップＳ９０１）。
【０１０３】
ここで、電子機器１０の位置が変化したことにより、投影面Ｐ上における画像の座標が変化する場合について、図１０を参照しながら説明する。図１０は、位置の変化について説明する図である。
【０１０４】
図１０に示すように、投影対象の選択画像Ｓ１の全体のうち、投影領域に対応する投影画像Ｔが電子機器１０により投影表示されていたものとする。
【０１０５】
このとき、電子機器１０の位置が変化することにより、投影領域の中心Ｑが原点から（Ｘ１，Ｙ１）の位置に移動し、投影画像Ｔ´が投影表示されるものとする。この場合、位置の変化量（ΔＸ，ΔＹ）は、（ΔＸ，ΔＹ）＝（Ｘ１，Ｙ１）と表すことができる。したがって、画像補正部１０５は、位置の変化後の選択画像情報に含まれる各画素の座標（Ｘ，Ｙ）を、（Ｘ−Ｘ１，Ｙ−Ｙ１）に変換する変換行列を生成すれば良い。
【０１０６】
また、電子機器１０の姿勢が変化したことにより、投影面Ｐ上における画像の座標が変化する場合について、図１１を参照しながら説明する。図１１は、姿勢の変化について説明する図である。なお、図１１では、ＸＺ平面におけるＺ軸と、電子機器１０の光軸との傾きθが変化したことにより、Ｘ軸の座標が変化する場合について説明する。
【０１０７】
図１１に示すように、電子機器１０の画角をθｗ、姿勢変化前の投影画像のＸ軸方向の幅の半分をＸｗとする。また、電子機器１０の姿勢の変化量をΔθとする。
【０１０８】
このとき、電子機器１０の姿勢が変化することにより、投影画像に含まれる画素Ｒ（Ｘ軸の座標値Ｘａ）が画素Ｒ´（Ｘ軸の座標値Ｘｂ）の位置に変化したとすれば、Ｘｗ：Ｘａ＝ｔａｎθｗ：ｔａｎθａと表すことができる。また、同様に、Ｘｗ：Ｘｂ＝ｔａｎθｗ：ｔａｎ（θａ＋Δθ）と表すことができる。これら２つの関係式により、画像補正部１０５は、画素ＲのＸ軸方向の変化量ΔＸ＝Ｘｂ−Ｘａを算出することができる。
【０１０９】
したがって、画像補正部１０５は、姿勢の変化後の選択画像情報に含まれる各画素のＸ座標を、Ｘ−ΔＸに変換する変換行列を生成すれば良い。なお、ＹＺ平面におけるＺ軸と、電子機器１０の光軸との傾きφが変化したことにより、Ｙ軸の座標が変化する場合も上記と同様の方法で変換行列を生成することができる。
【０１１０】
なお、電子機器１０の位置と傾きの両方が変化する場合には、画像補正部１０５は、位置変化情報及び姿勢変化情報のそれぞれに基づいて生成した変換行列を合成（すなわち、これらの変換行列の積で示される変換行列を生成）すれば良い。
【０１１１】
次に、画像補正部１０５は、上記のステップＳ９０１において生成した変換行列を用いて、選択画像情報を補正する（ステップＳ９０２）。すなわち、画像補正部１０５は、移動後における選択画像情報に含まれる各画素の投影面Ｐ上における位置（Ｘ，Ｙ）を、上記の変換行列を用いて変換する。これにより、電子機器１０は、選択画像情報に基づく画像の全体が投影表示される領域のうち、投影領域に対応する画像を投影表示することができる。なお、画像補正部１０５は、上記で説明した補正処理以外に、例えば、台形補正等の補正処理も行う。以上のように、本実施形態に係る電子機器１０は、投影面Ｐとの距離に応じて、投影対象の画像を選択する。これにより、本実施形態に係る電子機器１０は、例えば、投影面Ｐとの距離が近付いた場合（すなわち、ユーザと投影面Ｐとの距離が近付いた場合）には、より詳細なコンテンツを表示する画像を投影面Ｐに投影表示することができる。一方で、本実施形態に係る電子機器１０は、例えば、投影面Ｐとの距離が遠ざかった場合（すなわち、ユーザと投影面Ｐとの距離が遠ざかった場合）には、より概略的又は全体的なコンテンツを表示する画像を投影面Ｐに投影表示することができる。
【０１１２】
このように、本実施形態に係る電子機器１０は、ユーザと投影面Ｐとの距離に応じて、異なるコンテンツを提供することができるようになる。このため、例えば、投影面Ｐに投影表示されているコンテンツの中の一部分について、より詳細な情報をユーザが知りたい場合には、当該ユーザは、電子機器１０で画像を投影しながら投影面Ｐに近付けば良い。同様に、投影面Ｐに投影表示されているコンテンツを含む、より概略的又は全体的な情報をユーザが知りたい場合には、当該ユーザは、電子機器１０で画像を投影しながら投影面Ｐから遠ざかれば良い。したがって、電子機器１０は、ユーザの移動に応じて、投影されたコンテンツとは異なるコンテンツを投影することができる。
【０１１３】
（第二の実施形態）
次に、第二の実施形態について説明する。第二の実施形態は、電子機器１０とネットワークを介して接続されるサーバ装置３０において、画像テーブル１０９Ｄを記憶するものである。すなわち、第二の実施形態では、電子機器１０と、サーバ装置３０とを含む表示システム１００により、投影面Ｐに画像を投影するものである。
【０１１４】
なお、第二の実施形態では、第一の実施形態との相違点について説明し、第一の実施形態と同様の機能構成を有する箇所及び同様の処理を行う箇所には第一の実施形態の説明で用いた符号と同様の符号を付与し、その説明を省略する。
【０１１５】
まず、本実施形態に係る表示システム１００の機能構成について、図１２を参照しながら説明する。図１２は、第二の実施形態に係る表示システムの一例の機能構成を示す図である。
【０１１６】
図１２に示すように、表示システム１００に含まれる電子機器１０は、送受信部１１０を有する。なお、電子機器１０は、第一の実施形態と異なり、画像選択部１０４及び画像テーブル記憶部１０９を有さない。
【０１１７】
また、表示システム１００に含まれるサーバ装置３０は、画像選択部１０４と、画像テーブル記憶部１０９と、送受信部１１１とを有する。
【０１１８】
ここで、電子機器１０の送受信部１１０は、サーバ装置３０との間で、距離情報や画像情報等の送受信を行う。同様に、サーバ装置３０の送受信部１１１は、電子機器１０との間で、距離情報や画像情報等の送受信を行う。
【０１１９】
なお、電子機器１０とサーバ装置３０との間の送受信には、例えば、無線ＬＡＮ（Local  Area  Network）やＷｉ−Ｆｉ（登録商標）、Ｂｌｕｅｔｏｏｔｈ（登録商標）等の種々の無線通信を用いれば良い。ただし、電子機器１０とサーバ装置３０との間の送受信は、無線通信に限られず、有線通信であっても良い。
【０１２０】
次に、本実施形態に係る表示システム１００における画像の投影処理の詳細について説明する。まず、ユーザが電子機器１０を用いて、投影面Ｐへの画像の投影を開始する処理について、図１３を参照しながら説明する。図１３は、第二の実施形態に係る表示システムにおける画像の投影処理の一例を示すフローチャート（その１）である。なお、図１３におけるステップＳ６０１〜ステップＳ６０５及びステップＳ６０８〜ステップＳ６１０の処理は、第一の実施形態と同様であるため、その説明を省略する。
【０１２１】
ステップＳ６０５に続いて、電子機器１０の送受信部１１０は、初期距離情報をサーバ装置３０に送信する（ステップＳ１３０１）。
【０１２２】
次に、サーバ装置３０の画像選択部１０４は、画像テーブル記憶部１０９に記憶されている画像テーブル１０９Ｄにおいて、送受信部１１１により受信した初期距離情報により示される初期距離Ｌ０と、「標準画像情報」とを対応付ける（ステップＳ１３０２）。
【０１２３】
次に、サーバ装置３０の画像選択部１０４は、画像テーブル記憶部１０９に記憶されている画像テーブル１０９Ｄにおいて、初期距離Ｌ０に対応付けられている画像情報を選択し、選択した画像情報（選択画像情報）を取得する（ステップＳ１３０３）。
【０１２４】
そして、サーバ装置３０の送受信部１１１は、画像選択部１０４により取得された選択画像情報を電子機器１０に送信する（ステップＳ１３０４）。
【０１２５】
これにより、投影面Ｐには、選択画像情報に基づく画像の全体が投影表示される領域のうち、投影領域に対応する画像が投影表示される。
【０１２６】
ステップＳ６１０において、入力受付部１０７により画像情報の変更操作があったと判定された場合、電子機器１０の送受信部１１０は、当該変更操作に関する情報を示す画像変更情報をサーバ装置３０に送信する（ステップＳ１３０５）。
【０１２７】
次に、サーバ装置３０の画像選択部１０４は、送受信部１１１により受信した画像変更情報に基づいて、画像テーブル１０９Ｄにおいて初期距離Ｌ０と対応付けられている画像情報を変更する（ステップＳ１３０６）。
【０１２８】
次に、電子機器１０による画像の投影中に、ユーザが当該電子機器１０を移動させた場合の処理について、図１４を参照しながら説明する。図１４は、第二の実施形態に係る表示システムにおける画像の投影処理の一例を示すフローチャート（その２）である。なお、図１４におけるステップＳ８０１〜ステップＳ８０４及びステップＳ８０６〜ステップＳ８０７の処理は、第一の実施形態と同様であるため、その説明を省略する。
【０１２９】
ステップＳ８０４に続いて、電子機器１０の送受信部１１０は、現在距離Ｌを示す距離情報をサーバ装置３０に送信する（ステップＳ１４０１）。
【０１３０】
次に、サーバ装置３０の画像選択部１０４は、送受信部１１１により受信した距離情報に基づいて、電子機器１０が投影面Ｐに投影している画像を変更するか否かを判定する（ステップＳ１４０２）。
【０１３１】
すなわち、画像選択部１０４は、画像テーブル１０９Ｄと、受信した距離情報により示される現在距離Ｌとに基づいて、電子機器１０が投影面Ｐに投影している画像を変更するか否かを判定する。
【０１３２】
ステップＳ１４０２において、投影面Ｐに投影している画像を変更すると判定された場合、サーバ装置３０の画像選択部１０４は、画像テーブル記憶部１０９に記憶されている画像テーブル１０９Ｄにおいて、現在距離Ｌに対応付けられている画像情報を選択する。そして、画像選択部１０４は、選択した画像情報（選択画像情報）を取得する（ステップＳ１４０３）。
【０１３３】
次に、サーバ装置３０の送受信部１１１は、画像選択部１０４により取得された選択画像情報を電子機器１０に送信する（ステップＳ１４０４）。これにより、投影面Ｐには、変更された選択画像情報に基づく画像の全体が投影表示される領域のうち、投影領域に対応する画像が投影表示される。
【０１３４】
以上のように、本実施形態に係る表示システム１００では、電子機器１０は、投影面Ｐに画像を投影するための選択画像情報をサーバ装置３０から取得することができる。このため、例えば、電子機器１０の記憶装置の記憶容量が少ない場合等においても、当該電子機器１０は、投影面Ｐとの距離に応じた様々な画像を投影表示することができる。また、本実施形態に係る表示システム１００では、例えば、複数台の電子機器１０間で、同様の画像を投影面Ｐに投影表示することができるようになる。
【０１３５】
なお、本実施形態に係る表示システム１では、サーバ装置３０が画像テーブル記憶部１０９を有する構成について説明したが、これに限られず、サーバ装置３０は、例えば、画像補正部１０５を有していても良い。これにより、電子機器１０とサーバ装置３０との間で、補正処理の負荷を分散することができるようになる。
【０１３６】
以上、本発明の実施例について詳述したが、本発明は斯かる特定の実施形態に限定されるものではなく、特許請求の範囲に記載された本発明の要旨の範囲内において、種々の変形・変更が可能である。
【０１３７】
以上の説明に関し、更に以下の項を開示する。
（付記１）
所定のコンテンツを表示する電子機器であって、
投影面と前記電子機器との距離を測定する測定部と、
測定した距離に応じて異なるコンテンツを前記投影面に投影する投影部と、
を有する電子機器。
（付記２）
前記投影面との距離とコンテンツとを対応付けて記憶する記憶部を有し、
前記投影部は、
前記測定部により測定された距離と対応付けられているコンテンツに切り替えるように該コンテンツを前記投影面に投影する、付記１に記載の電子機器。
（付記３）
前記投影部は、
前記投影面と前記電子機器との距離が第一の距離より短い第二の距離となった場合に、前記投影面と前記電子機器との距離が第一の距離にて投影されたコンテンツに対して情報量が増えたコンテンツを前記投影面に投影する、付記１または２に記載の電子機器。
（付記４）
前記投影部は、
前記投影面と前記電子機器との距離が第一の距離より短い第二の距離となった場合に、前記投影面と前記電子機器との距離が第一の距離にて投影されたコンテンツの一部の領域に対応するコンテンツを前記投影面に投影する、付記１から３の何れか一項に記載の電子機器。
【符号の説明】
【０１３８】
１０        電子機器
１０１      距離測定部
１０２      センサ情報取得部
１０３      移動処理部
１０４      画像選択部
１０５      画像補正部
１０６      投影部
１０７      入力受付部
１０８      状態情報記憶部
１０８Ｄ    状態情報
１０９      画像テーブル記憶部
１０９Ｄ    画像テーブル
【図１】
2017223842.tif 000003
【図２】
2017223842.tif 000004
【図３】
2017223842.tif 000005
【図４】
2017223842.tif 000006
【図５】
2017223842.tif 000007
【図６】
2017223842.tif 000008
【図７】
2017223842.tif 000009
【図８】
2017223842.tif 000010
【図９】
2017223842.tif 000011
【図１０】
2017223842.tif 000012
【図１１】
2017223842.tif 000013
【図１２】
2017223842.tif 000014
【図１３】
2017223842.tif 000015
【図１４】
2017223842.tif 000016